(57)【要約】【課題】手術用電源供給装置を提供することである。【解決手段】処置具に電力を出力する手術用電源供給装置は、前記処置具の温度を検出する温度検出部と、前記検出された温度に基づいて、前記処置具の異常を検出する異常検出部とを具備する。前記温度検出部は、前記処置具の電気的容量を測定することによって温度を検出するか、または前記処置具の温度を温度測定デバイスを用いて直接測定する。さらに具体的には、前記異常検出部は、前記処置具の単位時間当たりの温度変化量が予め定めた閾値を超えたか否かにより異常を検出する。そして前記異常検出部が、異常を検出した場合に、前記処置具への電力の出力を停止する。上記のように異常を検出することにより、処置具の破損を未然に防止することができる。【選択図】    図８
2014054546.tif 000002
【特許請求の範囲】
【請求項１】
処置具に電力を出力する手術用電源供給装置であって、
前記処置具の温度を検出する温度検出部と、
前記検出された温度に基づいて、前記処置具の異常を検出する異常検出部と、
を具備する手術用電源供給装置。
【発明の詳細な説明】
【技術分野】
【０００１】
本発明は、手術用電源供給装置に関する。
【背景技術】
【０００２】
手術用電源供給装置として、超音波振動子用駆動装置が従来から知られている。例えば、特許文献１では、フェーズ・ロック・ループ（ＰＬＬ）制御によって共振周波数が出力されるプローブについて記載され、また特許文献２では、超音波外科システムにおける不良ハンドピースの破損と、不良ブレードの破損とを、識別する方法について開示している。さらに特許文献３では、測定されたインピーダンスの差を評価することによって負荷をかけられたブレードと、クラックが入ったブレードとの違いを明らかする方法が開示されている。
【先行技術文献】
【特許文献】
【０００３】
【特許文献１】特開２００５−１０２８１１号公報
【特許文献２】特開２００３−１５９２５９号公報
【特許文献３】米国特許出願公開第２００２／００４９５５１号明細書
【発明の概要】
【発明が解決しようとする課題】
【０００４】
しかしながら、より早期に処置具例えばプローブのクラックを発見し、プローブの破損を生じる前にプローブを交換することが要望される。
【課題を解決するための手段】
【０００５】
本発明の第１の側面は、処置具に電力を出力する手術用電源供給装置に関し、前記処置具の温度を検出する温度検出部と、前記検出された温度に基づいて、前記処置具の異常を検出する異常検出部と、を具備する。  
また、本発明の第２の側面は、第１の側面に関しており、前記温度検出部は、前記処置具の電気的容量を測定することによって温度を検出するか、または前記処置具の温度を温度測定デバイスを用いて直接測定する。
【０００６】
また、本発明の第３の側面は、第１の側面に関しており、前記異常検出部は、前記処置具の単位時間当たりの温度変化量が予め定めた閾値を超えたか否かにより異常を検出する。  
また、本発明の第４の側面は、第１乃至第３のいずれかの側面に関しており、前記異常検出部は、さらに前記処置具の単位時間当たりの共振周波数の変動量が、予め定められた単位時間当たりの温度変化から生じる共振周波数の変動量を超えているか否かにより異常を検出する。
【０００７】
また、本発明の第５の側面は、第１乃至第３のいずれかの側面に関しており、前記異常検出部が、異常を検出した場合に、前記処置具への電力の出力を停止する。  
また、本発明の第６の側面は、第１乃至第３のいずれかの側面に関しており、前記処置具は、超音波振動子と、この超音波振動子の振動を先端に伝達するプローブとを具備し、前記出力される電力は、前記超音波振動子を駆動する超音波電力である。
【発明の効果】
【０００８】
処置具例えばプローブのクラックの早期発見により、医療従事者は、プローブの破損を生じる前にプローブを交換することができ、そしてより安全に患者の処置を継続することができる。
【図面の簡単な説明】
【０００９】
【図１】超音波手術システムの外観斜視図である。
【図２】超音波手術システムの概略構成を示す図である。
【図３】超音波電源ユニットで発生される駆動電流がハンドピース側に流れる様子を示す図である。
【図４】電圧の位相と電流の位相との関係を示す図である。
【図５】共振周波数ｆｒを探査（スキャン）する手順を説明するための図である。
【図６】図６の（Ａ）は、プローブの部分を拡大して示す図である。図６の（Ｂ）および（Ｃ）は、プローブが正常な状態からクラックが入ったときのＰＬＬ制御中のインピーダンスＺ、電流Ｉ，および位相差（θＶ−θＩ）の周波数依存性を示すグラフである。
【図７】第１の実施の形態を説明するための容量成分の変動の要因の大きさを示す模式図である。
【図８】超音波手術システムにおいて超音波電源ユニットの各部の機能を説明するための機能ブロック図である。
【図９】第１の実施の形態に係るプローブの異常を検出するフロー図である。
【図１０】第２の実施の形態に係るプローブの異常を検出するフロー図である。
【図１１】第３の実施の形態に係るプローブの異常を検出するフロー図である。
【図１２】第４の実施の形態に係る超音波手術システムにおいて超音波電源ユニットの各部の機能を説明するための機能ブロック図である。
【発明を実施するための形態】
【００１０】
以下、図面を参照して本発明の実施形態を詳細に説明する。患者の腹腔内の様子を観察するためのスコープと、該腹腔内で処置を行うための処置具とを用いて患部の処置を行う内視鏡下外科手術が知られている。図１は、このような内視鏡下外科手術の一例として用いられる超音波手術システムの外観斜視図である。該超音波手術システムは、手術器具である超音波振動子を駆動するための超音波出力を発生する手術用電源供給装置としての超音波電源ユニット１と、ケーブルを介して超音波電源ユニット１から供給される超音波出力を用いて処置を行う超音波手術器具としてのハンドピース２と、ケーブルを介して超音波電源ユニット１に接続され、該超音波電源ユニット１からの超音波出力を制御するためのフットスイッチ３とから構成される。超音波振動子としては、例えばボルト締めランジュバン型振動子（Ｂｏｌｔ−ｃｌａｍｐｅｄ  Ｌａｎｇｅｖｉｎ  Ｔｙｐｅ  Ｔｒａｎｓｄｕｃｅｒ：ＢＬＴ）が知られている。
【００１１】
図２は、ハンドピース２は、ハンドル４を有し、図示せぬ超音波振動子が内蔵されたハンドピース本体部２ａと、前記超音波振動子の振動を処置部５に伝達するプローブ２ｂとから構成される。超音波電源ユニット１は超音波振動子を振動させるための電気エネルギを発生する超音波発振回路１ａを備えている。超音波電源ユニット１から出力された電気信号はハンドピース本体部２ａ内部の超音波振動子により機械振動（超音波振動）に変換されたあとプローブ２ｂにより処置部５に伝達される。処置部５には、プローブ２ｂの先端に対して開閉駆動されるジョーと呼ばれる把持部６が設けられている。ハンドル４を操作すると把持部６がプローブ２ｂの先端に対して開閉駆動されて、プローブ２ｂの先端と把持部６との間に生体組織を挟み込んで超音波振動による摩擦熱により生体組織の凝固、切開が行われる。
【００１２】
このプローブ２ｂは術中にカンシやクリップに接触した際につく傷により、クラックが発生する。術中のプローブ２ｂにクラックが生じた場合には、早急に超音波振動を中止し、新たなプローブへの交換が必要となる。仮にクラックが入った状態で手術を継続した場合にはプローブ部分が破損し脱落することも考えられる。従ってこのクラックの発生を早期に発見し、医療従事者にクラックの発生を告知することが必要となっている。以下では超音波手術システムについて詳述し、プローブのクラックの発生を早期に正確に発見する装置および方法について記載する。
【００１３】
図３〜図５は、超音波手術システムにおける超音波駆動の制御方法を説明するための図である。図３において超音波発振回路１ａでは正弦波の駆動電圧ＶＳＩＮが発生される。これに対応する正弦波の駆動電流ＩＳＩＮがハンドピース本体部２ａ内部の超音波振動子に流れると、超音波振動子は当該電気信号を機械振動に変換してプローブ２ｂの先端に伝える。
【００１４】
このような超音波駆動において、一定の発振周波数で超音波出力すると図４の（Ａ）に示すように電圧Ｖと電流Ｉとの間に位相差が生じるので駆動効率が低下する。そこで、超音波電源ユニット１内に制御回路を設け、この制御回路によってこれら電圧Ｖと電流Ｉの間の位相差が０になる（図４の（Ｂ））共振点を探索して超音波振動子の駆動を行なう。
【００１５】
例えば図５において、横軸は周波数ｆであり、縦軸はインピーダンスＺ、電流Ｉ、位相差（θＶ−θＩ）である。（θＶ−θＩ）は位相差を示している。本実施形態では、順次周波数を変えながらインピーダンスＺが最も低くなる点を探索（スキャン）して位相差（θＶ−θＩ）が０になる共振周波数ｆｒを検出する。制御回路１ｃは検出した共振周波数ｆｒで超音波振動子の駆動を開始する。
【００１６】
（第１の実施の形態）
図６の（Ａ）〜（Ｃ）は、第１の実施形態に係るハンドピース２の異常を探査する方法を説明するための図である。図６の（Ａ）は、ハンドピース２のプローブ２ｂの部分を拡大して示す図である。この図は、プローブ２ｂにクラック１０が入った状態を模式的に示している。ここでクラックとは、必ずしも肉眼で確認できるようなクラックのみを意味するものではなく、例えば内部亀裂のような外観に現れないクラックや、金属疲労等の初期に現れるマイクロクラックのようなものも含まれる。実際のクラックの測定も、肉眼観察だけに限られず、拡大鏡、金属顕微鏡等による微視的観察、さらには電子顕微鏡によるミクロンオーダのクラック（マイクロクラック）の観察も行っている。
【００１７】
正常なプローブにクラックが入るまで、インピーダンスＺと、位相差（θＶ−θＩ）とにどのような変動が起こるかを詳細に計測した。その結果を以下に示す。  
図６の（Ｂ）および（Ｃ）は、プローブ２ｂが正常な状態からクラックが入ったときのＰＬＬ制御中のインピーダンスＺ、電流Ｉ，および位相差（θＶ−θＩ）の周波数依存性を示すグラフである。図６の（Ｂ）では、プローブには未だ傷がなく、正常な状態のインピーダンスＺ、電流Ｉ、および位相差（θＶ−θＩ）が示されている。ＰＬＬ制御により位相差（θＶ−θＩ）がゼロ度となるように周波数が変動されている。この図において、インピーダンスＺが一番低くなる近傍で位相差（θＶ−θＩ）もゼロ度になっている。従ってこの周波数ｆｒが、共振周波数である。
【００１８】
図６の（Ｃ）では、プローブ２ｂにクラックが入った後、ＰＬＬ制御がなされているときのインピーダンスＺ、電流Ｉ，および位相差（θＶ−θＩ）のグラフを示す。クラックが入った場合には位相差（θＶ−θＩ）が大きくずれ、インピーダンスも大きく変動すると考えられる。そしてインピーダンスＺが最小となるようにＰＬＬ制御がなされ、新たな共振周波数ｆｒ’を探査する。図６の（Ｃ）は、探査後のインピーダンスＺ、電流Ｉ，および位相差（θＶ−θＩ）であり、新たな共振周波数ｆｒ’にて位相差（θＶ−θＩ）がゼロ近傍となるように制御されていることが判る。しかしインピーダンスＺの最小値は、図６の（Ｂ）に比べ上昇しており、位相差（θＶ−θＩ）の値もクラック前のゼロ値（破線）よりもΔＰだけ高い値（点線）にあることが判る。図６の（Ｂ）および（Ｃ）の位相差（θＶ−θＩ）の表示はあくまでも理解しやすいように正負の大きさの度合い、および極性を模式的に矩形状で示したものである。位相差（θＶ−θＩ）の変動を示すΔＰはプローブのクラック以外の他の要因でも生じ得るが、その値は数度以下であり、１０度を超える変動はクラックによるものである。
【００１９】
ＰＬＬ制御を行っても、このプローブ２ｂに入ったクラックによって、インピーダンスＺが変動する。特にインピーダンスの電気的容量成分が上昇している。この電気的容量成分の上昇原因は、手術器具である超音波振動子の温度上昇によるものであることが判った。
【００２０】
超音波振動子の温度上昇はプローブ２ｂにクラックが入ったため完全な超音波振動子の振動伝達素子としての機能を十分に発揮することができず、クラックにより生じる意図しない他の振動モードが生じるためと考えられる。意図しない他の振動モードは正常な振動モードに重畳され、または正常な振動モードを乱す。さらに正常な振動モードと意図しない他の振動モードとが干渉し、周期的な大きな振動モードを生じる場合もある。これらの振動モードにより超音波振動子は異常な発熱を起こし、その発熱が電気的容量の増加を引き起こすと考えられる。
【００２１】
図７は手術器具である超音波振動子を含むハンドピース２の電気的容量成分の変動の要因の大きさをその矢印の大きさで現したものである。容量成分の変動は、製造時の製品のばらつき、使用環境温度、および使用中の温度上昇の順に大きくなっている。このことより通常の使用による温度上昇に比べ、プローブ２ｂのクラック１０により意図しない振動モードが発生した場合には、さらに温度が上昇するため、それによる容量成分の変動が一番大きいことが理解できる。超音波振動子のタイプによって通常の使用中の温度上昇は異なり、ある超音波振動子のタイプでは使用中に最高で１０℃の温度上昇が認められ、また他の超音波振動子のタイプでは最高で３０℃の温度上昇が見られた。これらの超音波振動子の温度上昇によって電気的容量は約７２〜１８０ｐＦの変動が見られた。この超音波振動子の温度上昇と、共振器周波数の変動との相関は事前に測定することができる。また超音波振動子の温度は、その超音波振動子の電気的容量（キャパシタンス）と良好な相関があることも判っている。したがって超音波振動子の温度は例えばその超音波振動子の電気的容量を測定することにより精度良く求めることができ、その温度によって共振周波数の変動量も予測することができる。
【００２２】
このように超音波振動子の異常な発熱により電気的容量が変化し、この電気的容量を含むインピーダンスも変化する。これによりインピーダンスの周波数特性が変わり、電流・電圧の位相差（θＶ−θＩ）の周波数依存性も変わったものと考えられる。これらの結果より、ＰＬＬ制御中の超音波振動子の温度、若しくは超音波振動子を含むハンドピース２の温度をモニターすることによりプローブ２ｂにクラック１０が入ったことを測定することができる。
【００２３】
また直接ハンドピース２の超音波振動子の温度を温度測定デバイスであるサーミスタ若しくは熱電対によって測定することもできる。以下で記載する温度測定は、上記電気的容量測定によって算出された温度測定を意味する場合と、直接にサーミスタ又は熱電対を使用して測定された温度測定を意味する場合との両方が含まれる。
【００２４】
図８は、超音波手術システムにおいて超音波電源ユニット１の各部の機能を説明するための機能ブロック図である。ハンドピース２が超音波電源ユニット１にコネクタ１ｅを介して接続されている。超音波電源ユニット１内には、超音波発振回路１ａ、出力電圧・出力電流検出回路１ｆ、インピーダンス検出回路１ｇ、共振周波数検出回路ｌｈ、温度検知回路１ｂ、フットスイッチ検知回路１ｄ、制御回路１ｃが設けられている。超音波発振回路１ａは、ハンドピース２内部の超音波振動子を駆動するための駆動信号を発生する部分である。フットスイッチ検出回路１ｄはフットスイッチ３が術者により操作されたことを検出する部分である。
【００２５】
術者によってフットスイッチ３が操作された場合、操作信号はフットスイッチ検出回路１ｄを介して制御回路１ｃに伝達される。制御回路１ｃは超音波発振回路１ａから超音波電力をハンドピース２に出力するように制御する。
【００２６】
出力電圧・出力電流検出回路１ｆは、超音波発振回路１ａから超音波振動子に供給される電力の出力電圧、および出力電流を検出する部分である。出力電圧・出力電流検出回路１ｆによって検出された出力電圧および出力電流の値は、インピーダンス検出回路１ｇおよび共振周波数検出回路ｌｈに入力される。インピーダンス検出回路１ｇは入力された出力電圧、出力電流の値およびその位相差に基づいてハンドピース２のインピーダンス検出アルゴリズムを用いてインピーダンスを検出する。ここで計測されたインピーダンスは、電気的容量成分と電気的コンダクタンス成分とに分離することができる。後述する温度測定において電気的容量成分を用いて温度を算出することができる。
【００２７】
共振周波数検出回路１ｈは出力電圧・出力電流検出回路１ｆによって検出された出力電圧および出力電流から実際にプローブ２ｂに掃引されている周波数を検出し、同時にインピーダンス検出回路１ｇから送信されたインピーダンスの値の変化をモニタする。インピーダンスの値が急峻に変化する周波数を求め共振周波数として検出する。
【００２８】
温度検出回路１ｂはハンドピース２の電気的容量測定より温度を算出してもよいし、ハンドピース２に設置されたサーミスタ又は熱電対を用いて直接温度を測定してもよい。インピーダンス検出回路１ｇは、測定された電気的容量を温度検出回路１ｂに送信し、温度検出回路１ｂは送信された電気的容量を予め測定した温度と電気的容量との相関関係より温度を算出することができる。また直接温度を測定する方法として例えばサーミスタ又は熱電対によって検出された信号が温度検出回路１ｂに導入され、経時的に温度測定がなされてもよい。温度検出回路１ｂで測定された温度は内部の記憶部分に記憶される。具体的には単位時間当たり例えば５ｍｓｅｃ間隔で温度の値を記憶部分であるメモリに保存し、順次計測された温度の値と先に保存された温度の値とを比較する。さらに５ｍｓｅｃ間隔で計測された温度の値を５ｍｓｅｃ前、１０ｍｓｅｃ前、１５ｍｓｅｃ前等に計測された複数の温度の値と比較し、温度の値の変動が異常でないかどうかを判断する。
【００２９】
上記の流れを図８のブロック図および図９のフロー図を使用して説明する。まず超音波を用いたプローブ２ｂにより患者の腹腔内の手術を行う場合、制御回路１ｃはＰＬＬ制御を開始し、異常検出回路１ｋは初期の超音波振動子の温度を検出し保存する（ステップＳ１）。ＰＬＬ制御はエネルギー効率を上げて手術を行うために超音波プローブにおいて必要な制御である。超音波発振回路１ａから超音波電力をハンドピース２に出力中は、異常検出回路１ｋは、一定のサンプリング時間を定め温度の変動を監視する（ステップＳ２）。監視された温度は、先に検出された複数の温度と比較される。例えば異常検出回路１ｋはサンプリング時間を５ｍｓｅｃと定め、先に検出された２０サンプルの温度（５ｍｓｅｃ×２０サンプル＝１００ｍｓｅｃ間の温度測定値）の各々と、または先に検出された２０サンプルの温度の平均値と、現在検出された温度とを比較する。異常検出回路１ｋは温度を予め定めた閾値たとえば３０℃と比較し（ステップＳ３）、この閾値より大きい場合にはプローブの異常と判断する（ステップＳ４）。閾値よりも低い場合には、異常検出回路１ｋはプローブ２ｂが正常であると判断し、ステップＳ２に戻って温度の変動の監視を継続する。
【００３０】
実際に測定された温度の値とプローブ２ｂのクラックの発生状況との相関を測定した。その結果、温度の変動が３０℃を超える場合には目視で確認できるクラック、若しくは電子顕微鏡で確認されるマイクロクラックが発生していた。
【００３１】
さらに、異常と判断した場合には超音波出力を停止もしくはシャットダウンすることができ、クラック以上のプローブの破損、脱落を防止することはできる。
【００３２】
（効果）
本実施形態によれば、電気的容量の測定に基づき、または直接測定に基づき温度を検出し、この温度の変動値をモニタすることにより、通常の手術による組織の切除等で生じる通常の使用の温度変動値とは異なる温度変動値を異常として検出することにより、プローブのクラックの発生を瞬時に容易に把握することができる。このプローブクラックの早期発見により、医療従事者は、プローブの破損を生じる前にプローブを交換することができ、そして安全に患者の処置を継続することができる。
【００３３】
（第２の実施の形態）
以下に本発明の第２実施形態について図１０のフロー図を使用して説明する。ここでは第１の実施の形態と異なる部分のみ説明する。図９のフロー図のステップＳ１およびＳ２は図１０のフロー図のステップＳ１１およびＳ１２に対応するものであるので詳細な説明は省略する。
【００３４】
ステップＳ１２にて監視された温度は、先に検出された複数の温度と比較される。例えば異常検出回路１ｋは温度の単位時間当たり（１００ｍｓｅｃ）の変動を予め定めた閾値たとえば１℃／１００ｍｓｅｃと比較し（ステップＳ１３）、この閾値より大きい場合にはプローブの異常と判断する（ステップＳ１４）。閾値よりも低い場合には、異常検出回路１ｋはプローブ２ｂが正常であると判断し、ステップＳ１２に戻って温度の変動の監視を継続する。
【００３５】
実際に測定された温度の値とプローブ２ｂのクラックの発生状況との相関を測定した。その結果、単位時間当たりの温度の変動が５℃／１００ｍｓｅｃを超える場合には目視で確認できるクラック、若しくは電子顕微鏡で確認されるマイクロクラックが発生していた。  
さらに、異常と判断した場合には超音波出力を停止もしくはシャットダウンすることができ、クラック以上のプローブの破損、脱落を防止することはできる。
【００３６】
（効果）
本実施形態によれば、温度を検出し、この温度の単位時間当たりの温度変動値をモニタすることにより、通常の手術による組織の切除等で生じる通常の温度変動値とは異なる温度変動値を異常として検出することにより、プローブのクラックの発生を瞬時に容易に把握することができる。このプローブクラックの早期発見により、医療従事者は、プローブの破損を生じる前にプローブを交換することができ、そして安全に患者の処置を継続することができる。
【００３７】
（第３の実施の形態）
以下に、本発明の第３の実施形態について図８のブロック図および図１１のフロー図を使用して説明する。まず超音波を用いたプローブ２ｂにより患者の腹腔内の手術を行う場合、制御回路１ｃはＰＬＬ制御を開始し、異常検出回路１ｋは初期の共振周波数および超音波振動子の温度を検出し保存する（ステップＳ２１）。超音波発振回路１ａから超音波電力をハンドピース２に出力中は、異常検出回路１ｋは、一定のサンプリング時間を定め共振周波数と温度の変動を監視する（ステップＳ２２）。
【００３８】
監視された共振周波数および温度は、先に検出された複数の共振周波数および温度と比較される。例えば異常検出回路１ｋはサンプリング時間を５ｍｓｅｃと定め、先に検出された２０サンプルの共振周波数および温度（５ｍｓｅｃ×２０サンプル＝１００ｍｓｅｃ間の共振周波数値および温度測定値）の各々と、または先に検出された２０サンプルの共振周波数の平均値および温度の平均値と、現在検出された共振周波数および温度とを比較する。具体的には温度を予め定めた閾値たとえば３０℃と比較する。異常検出回路１ｋは温度の変化量を予め定めた閾値と比較すると共に、共振周波数の変動量を予め手術等の処置において予想される温度変化によって生じる共振周波数の変動量と比較し、その変動量が予め予想される変動量を上回るときに異常と判断する（ステップＳ２３）。このように温度と並行して共振周波数の変動量も異常の判断として使用することにより、より精度の高い異常判断を行うことができる。
【００３９】
実際に測定された温度の値とプローブ２ｂのクラックの発生状況との相関を測定した。その結果、温度の変動が３０℃を超え、共振周波数の変動量も予め定めた変動量を上回る場合には目視で確認できるクラック、若しくは電子顕微鏡で確認されるマイクロクラックが発生していた。
【００４０】
（効果）
温度の変動量と共に、単位時間当たりの共振周波数の変動量に対しても、予め定めた閾値として超音波振動子の温度による共振周波数の変動を設定することが有効である。この閾値の設定方法により、通常の手術時の温度上昇による共振器周波数の変化と、プローブ２ｂのクラックによる共振器周波数の変化とを正確に、かつ容易に切り分けることができる。これに従って超音波出力を停止もしくはシャットダウンすることができ、クラック以上のプローブの破損、脱落を防止することはできる。
【００４１】
（第４の実施の形態）
第４の実施の形態を図１２のブロック図を参照して説明する。このブロック図は、図８のブロック図と似ており、図８のブロック図に追加して位相差検出回路１ｊを具備する。位相差検出回路１ｊで検出された出力電圧と、出力電流との位相差（θＶ−θＩ）は図６の（Ｂ）および（Ｃ）より、プローブ２ｂのクラックによって変動するものであることが判っている。この位相差の変動を、更に異常判定手段として使用することができる。また出力電圧・出力電流検出回路１ｆから異常検出回路１ｋに出力電圧および出力電流の信号を取り込んでいる。出力電流等も図６の（Ｂ）および（Ｃ）によりプローブ２ｂのクラックによって変動するものであることが判っている。従って出力電流等の変動も、更に異常判定手段として使用することができる。
【００４２】
（効果）
位相差（θＶ−θＩ）または出力電流等の変動量を測定することによりプローブのクラックをより正確に、かつ的確に把握することができる。
【符号の説明】
【００４３】
１…超音波電源ユニット、１ａ…超音波発振回路、１ｂ…温度検出回路、１ｂ…温度検知回路、１ｃ…制御回路、１ｄ…フットスイッチ検出回路、１ｄ…フットスイッチ検知回路、１ｅ…コネクタ、１ｆ…出力電圧・出力電流検出回路、１ｇ…インピーダンス検出回路、１ｈ…共振周波数検出回路、１ｊ…位相差検出回路、１ｋ…異常検出回路、２…ハンドピース、２ａ…ハンドピース本体部、２ｂ…プローブ、３…フットスイッチ、４…ハンドル、５…処置部、６…把持部、１０…クラック。
【図１】
2014054546.tif 000003
【図２】
2014054546.tif 000004
【図３】
2014054546.tif 000005
【図４】
2014054546.tif 000006
【図５】
2014054546.tif 000007
【図６】
2014054546.tif 000008
【図７】
2014054546.tif 000009
【図８】
2014054546.tif 000010
【図９】
2014054546.tif 000011
【図１０】
2014054546.tif 000012
【図１１】
2014054546.tif 000013
【図１２】
2014054546.tif 000014
【手続補正書】
【提出日】平成25年11月15日(2013.11.15)
【手続補正１】
【補正対象書類名】特許請求の範囲
【補正対象項目名】全文
【補正方法】変更
【補正の内容】
【特許請求の範囲】
【請求項１】
処置具に電力を出力する手術用電源供給装置であって、
前記処置具の共振周波数を検出する共振周波数検出部と、
前記処置具の温度を検出する温度検出部と、
所望の時間で生じる前記共振周波数の変化に基づいて変動する前記共振周波数の第１の共振周波数変動量を算出する第１の変動量算出部と、
前記所望の時間で生じる前記温度の変化に基づいて変動する前記温度の変動量を算出する第２の変動量算出部と、
前記第１の共振周波数変動量を、前記温度の変動量に基づき予想される第２の共振周波数変動量と比較した結果に基づいて、前記処置具の異常を検出する異常検出部と、
を有することを特徴とする手術用電源供給装置。
【請求項２】
前記温度検出部は、前記処置具の電気的容量を測定することによって前記処置具の温度を検出することを特徴とする請求項１に記載の手術用電源供給装置。
【請求項３】
前記第１の変動量算出部は、所定の時間における前記共振周波数の変化に基づいて変動する前記共振周波数の前記第１の共振周波数変動量を算出し、
前記第２の変動量検出部は、前記所定の時間における前記温度の変化に基づいて変動する前記温度の変動量を算出することを特徴とする請求項１に記載の手術用電源供給装置。
【請求項４】
前記異常検出部は、異常を検出した場合に、前記処置具への電力の出力を停止することを特徴とする請求項１乃至３のいずれか１項に記載の手術用電源装置。
【請求項５】
前記処置具は、超音波振動子と、前記超音波振動子の振動を先端に伝達するプローブとを具備し、
前記出力される電力は、前記超音波振動子を駆動する超音波電力であることを特徴とする請求項１乃至４のいずれか１項に記載の手術用電源装置。
【手続補正２】
【補正対象書類名】明細書
【補正対象項目名】０００５
【補正方法】変更
【補正の内容】
【０００５】
本発明に従う実施形態の手術用電源供給装置は、処置具に電力を出力する手術用電源供給装置であって、前記処置具の共振周波数を検出する共振周波数検出部と、前記処置具の温度を検出する温度検出部と、所望の時間で生じる前記共振周波数の変化に基づいて変動する前記共振周波数の第１の共振周波数変動量を算出する第１の変動量算出部と、前記所望の時間で生じる前記温度の変化に基づいて変動する前記温度の変動量を算出する第２の変動量算出部と、前記第１の共振周波数変動量を、前記温度の変動量に基づき予想される第２の共振周波数変動量と比較した結果に基づいて、前記処置具の異常を検出する異常検出部とを有する。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】